(57)【要約】【課題】従来の規格化された配線器具と同様に配線器具用取付枠に取着できるように、規格化された大きさにし、他の配線器具とともに配線器具用取付枠に組み付けて使用することができる設置作業の効率化と生産性の向上を図る設備配線用リレーユニットを提供すること。【解決手段】規格化された配線器具を取り付ける配線器具用取付枠１５に取着する設備配線用リレーユニットＡであって、該リレーユニットＡは、規格化された配線器具の２個又は３個分の大きさの筐体１で構成するとともに、上記配線器具取付枠１５に取り付ける取付手段４を備え、上記筐体１の内部には電気設備配線用電線を接続する接続手段８と、リレー６と発光表示体５とを配置した回路基板７とを収容し、上記リレー６の端子と上記接続手段８とは上記回路基板７を介して接続した。【選択図】図３
2006311129.tif 000002
【特許請求の範囲】
【請求項１】
規格化された配線器具を取り付ける配線器具用取付枠に取着する、以下の要件を備えることを特徴とする設備配線用リレーユニット。
（イ）上記設備配線用リレーユニットは、規格化された配線器具の１乃至３個分の大きさで構成された筐体と、該筐体を上記配線器具取付枠に取り付ける取付手段とを備えること
（ロ）上記筐体の内部には電気設備配線用電線を接続する接続手段とリレーとを配設し、該リレーの端子は上記筐体内で上記接続手段に接続されていること
【請求項２】
前記リレーは、該リレーの作動状態を表示する発光表示体とともに回路基板上に配置され、上記発光表示体の発光は前記筐体の前面から視認できる、請求項１記載の設備配線用リレーユニット。
【請求項３】
前記設備配線用リレーユニットの接続端子は共通端子と、制御入力端子と、メイク接点出力端子と、ブレーク接点出力端子とで構成するとともに、各端子をネジ無し端子で構成した、講求項１又は２記載の設備配線用リレーユニット。
【請求項４】
常時小さな風量で換気を行なうとともに、必要時には強い風量で換気を行なう換気システムの制御に請求項１、２又は３記載の設備配線用リレーユニットを用いることを特徴とする、設備配線用リレーユニットを用いた換気システム。
【請求項５】
以下の要件を備えることを特徴とする、請求項４記載の設備配線用リレーユニットを用いた換気システム。
（イ）上記換気システムは、換気扇の操作を２箇所に配置された換気扇操作スイッチからおこなうこと
（ロ）上記換気扇は、複数の風量を選択可能な換気扇で構成されていること
（ハ）上記換気扇操作スイッチは、第１、第２、第３の外部接続端子と、第１の外部接続端子と第２の外部接続端子との間に電気接続された電流検知手段と、該電流検知手段に電気接続された通電表示手段と、上記第２の外部接続端子と第３の外部接続端子との間に介された通電制御手段とを備えること
（ニ）上記２箇所の換気扇操作スイッチは、一方の換気扇操作スイッチの第２の外部接続端子と他方の換気扇操作スイッチの第３の外部接続端子とが結線されるとともに、一方の換気扇操作スイッチの第１の外部接続端子は電源に、他方の換気扇操作スイッチの第１の外部接続端子は前記設備配線用リレーユニットの制御入力端に接続され、且つ設備配線用リレーユニットの出力端子は上記換気扇の端子に結線されていること
【請求項６】
以下の要件を備えることを特徴とする、請求項４記載の設備配線用リレーユニットを用いた換気システム。
（イ）上記換気システムは、換気扇の操作を少なくとも３箇所に配置された換気扇操作スイッチからおこなうこと
（ロ）上記換気扇は、複数の風量を選択可能な換気扇で構成されていること
（ハ）上記換気扇操作スイッチは、第１、第２、第３の外部接続端子と、第１の外部接続端子と第２の外部接続端子との間に電気接続された電流検知手段と、該電流検知手段に電気接続された通電表示手段と、上記第２の外部接続端子と第３の外部接続端子との間に介された通電制御手段とを備えること
（ニ）上記換気扇操作スイッチは、第２の外部接続端子同士、第３の外部接続端子同士が互いに結線されるとともに、第１の外部接続端子は電源に、第２の外部接続端子は前記設備配線用リレーユニットの制御入力端子に接続され、且つ設備配線用リレーユニットの出力端子は上記換気扇の端子に結線されていること
【発明の詳細な説明】
【技術分野】
【０００１】
本発明は、設備配線用リレーユニット、詳しくは規格化された配線器具を取り付ける配線器具用取付枠に取着できるようにした設備配線用リレーユニットに関するものである。
【背景技術】
【０００２】
従来、配線器具の内部にリレーを設け、このリレーの動作を制御することにより電気機器を遠隔制御する配線器具が提案されている（例えば、特許文献１）。
【０００３】
この配線器具はリレーを構成部品の１つとして基板上に取り付け、この基板を配線器具の内部に収容したものである。
【特許文献１】特開平５−３０５８１号公報
【発明の開示】
【発明が解決しようとする課題】
【０００４】
本発明が解決しようとする問題点は、上述の配線器具におけるリレーは、リレー単体を回路構成の１部品として基板に組み込み、この基板は特定の機能を有するように構成されたもので、リレー自体を他の配線器具と同様の取扱ができるようにしたものではなく、在庫管理や生産性の効率性の向上につながるものではなかった。
【０００５】
本発明は、従来の規格化された配線器具と同様に配線器具用取付枠に取着できるように、規格化された大きさにし、他の配線器具とともに配線器具用取付枠に組み付けて使用することができ、在庫管理の効率化と生産性の向上を図ることができる設備配線用リレーユニットを提供することを課題とする。
【課題を解決するための手段】
【０００６】
前記課題を解決するために本発明に係る設備配線用リレーユニットは、規格化された配線器具を取り付ける配線器具用取付枠に取着する、以下の要件を備えることを特徴とする。
（イ）上記設備配線用リレーユニットは、規格化された配線器具の１乃至３個分の大きさで構成された筐体と、該筐体を上記配線器具取付枠に取り付ける取付手段とを備えること
（ロ）上記筐体の内部には電気設備配線用電線を接続する接続手段とリレーとを配設し、該リレーの端子は上記筐体内で上記接続手段に接続されていること
なお、前記リレーは、該リレーの作動状態を表示する発光表示体とともに回路基板上に配置され、上記発光表示体の発光は前記筐体の前面から視認できることが好ましい。
【０００７】
また、前記設備配線用リレーユニットの接続端子は共通端子と、制御入力端子と、メイク接点出力端子と、ブレーク接点出力端子とで構成されていればよい。
【０００８】
そして、常時小さな風量で換気を行うとともに、必要時には強い風量で換気を行う換気システムの制御に前記設備配線用リレーユニットを用いることが好ましい。
【０００９】
さらに、前記換気システムは以下の要件を備えるようにし、２箇所の換気扇操作スイッチから換気扇の制御をすればよい。
（イ）上記換気システムは、換気扇の操作を２箇所に配置された換気扇操作スイッチからおこなうこと
（ロ）上記換気扇は、複数の風量を選択可能な換気扇で構成されていること
（ハ）上記換気扇操作スイッチは、第１、第２、第３の外部接続端子と、第１の外部接続端子と第２の外部接続端子との間に電気接続された電流検知手段と、該電流検知手段に電気接続された通電表示手段と、上記第２の外部接続端子と第３の外部接続端子との間に介された通電制御手段とを備えること
（ニ）上記２箇所の換気扇操作スイッチは、一方の換気扇操作スイッチの第２の外部接続端子と他方の換気扇操作スイッチの第３の外部接続端子とが結線されるとともに、一方の換気扇操作スイッチの第１の外部接続端子は電源に、他方の換気扇操作スイッチの第１の外部接続端子は前記設備配線用リレーユニットの制御入力端に接続され、且つ設備配線用リレーユニットの出力端子は上記換気扇の端子に結線されていること
また、前記換気システムは以下の要件を備えるようにし、少なくとも３箇所に配置された換気扇操作スイッチで換気扇を制御するようにしてもかまわない。
（イ）上記換気システムは、換気扇の操作を少なくとも３箇所に配置された換気扇操作スイッチからおこなうこと
（ロ）上記換気扇は、複数の風量を選択可能な換気扇で構成されていること
（ハ）上記換気扇操作スイッチは、第１、第２、第３の外部接続端子と、第１の外部接続端子と第２の外部接続端子との間に電気接続された電流検知手段と、該電流検知手段に電気接続された通電表示手段と、上記第２の外部接続端子と第３の外部接続端子との間に介された通電制御手段とを備えること
（ニ）上記換気扇操作スイッチは、第１の外部接続端子同士、第２の外部接続端子同士、第３の外部接続端子同士が互いに結線されるとともに、第１の外部接続端子は電源に、第３の外部接続端子は前記設備配線用リレーユニットの制御入力端子に接続され、且つ設備配線用リレーユニットの出力端子は上記換気扇に結線されていること
【発明の効果】
【００１０】
請求項１の発明によれば、設備配線用リレーユニットは規格化された配線器具を取り付ける配線器具用取付枠に取付手段で取り付けることができ、接続手段で電気設備配線用電線に接続することによりリレーを作動させることができるので、他の配線器具と同様に取付枠に取り付け、電線を接続する設置作業で他の配線器具と同様に使用することができる汎用性に優れた設備配線用リレーユニットを提供することができる。
【００１１】
請求項２の発明によれば、リレーの作動状態を筐体の前面に形成した開口部から発光表示体の発光を見ることができるので、リレーの作動を目で確認することができる。
【００１２】
請求項３の発明によれば、設備配線用リレーユニットの接続端子を共通端子と、制御入力端子と、メイク接点出力端子と、ブレーク接点出力端子とで構成するとともに、各端子をネジ無し端子で構成したので、端子に電線を差し込むだけで、リレーの作動と、接点の出力とを取り出すことができる。
【００１３】
請求項４の発明によれば、常時小風量換気システムの制御に用いることにより、換気扇とリレーユニットとの間に電線以外のものが介在しないので、障害時の切り分けや対応が容易に行なうことができる。
【００１４】
請求項５の発明によれば、２箇所から換気扇の強弱運転を制御することができるとともに、換気扇の動作をそれぞれの場所から確認することができる。
【００１５】
請求項６の発明によれば、３箇所以上から換気扇の強弱運転を制御することができる。
【発明を実施するための最良の形態】
【００１６】
図１は、本発明に係る設備配線用リレーユニットＡの一例を示す斜視図、図２（ａ）、（ｂ）、（ｃ）は、設備配線用リレーユニットＡの正面図、背面図及び縦断面図を示す。この設備配線用リレーユニット（以下、リレーユニットという）Ａは、筐体１が規格化された配線器具２個を上下に重ねた大きさに形成されたもので、筐体１はケース部１ａと蓋部１ｂとで構成され、連結金具２、２で蓋部１ｂをケース部１ａに固定することにより箱状に形成されたもので、蓋部１ｂの下部には透光部３が形成され、この透光部３からは内部に配置された発光表示体５の発光状態が視認できるようになっている。なお、上記連結金具２には後述する取付枠１５に係合させるコ字状の係合片４が蓋部１ｂの両側に位置するように形成されている。
【００１７】
図３に示すように、筐体１の内部には、発光表示体５と、リレー６とが配置された回路基板７と、電気設備配線用電線を接続する接続手段８とが収容されている。この接続手段８はネジ無し端子８ａ〜８ｄと押えバネ９とで構成され、ケース部１ａの背面に形成された差込孔１０（図２（ｂ）参照）から電気設備配線用電線（以下、電線という）の先端を差し込むと電線が押えバネ９でネジ無し端子８ａ〜８ｄに圧接されて電線とネジ無し端子とが電気的に接続されるとともに、電線が引き抜けないようになっているもので、解除ボタン１１をドライバーなどの先端で押し込むと押えバネ９による圧接が解除され容易に電線を引き抜くことができるようになっている公知のものである。
【００１８】
上記リレーユニットＡは、図４の回路図が示すように、共通端子８ａ、制御入力端子８ｂとブレーク接点出力端子８ｃ、メイク接点出力端子８ｄとを備え、共通端子８ａ、制御入力端子８ｂ間に電圧が印加され、コイル１２と発光表示体５に電流が流れるとメイク接点１３が閉じ、ブレーク接点１４が開くようになっており、導通状態であった共通端子８ａとブレーク接点出力端子８ｃとの間が非導通状態になり、非導通状態であった共通端子８ａとメイク接点出力端子８ｄとの間が導通状態になるとともに発光表示体５であるＬＥＤが点灯するように構成されているものである。
【００１９】
上記構成のリレーユニットを配線器具の１つとして実際に設置する場合の一例を、図５に基づいて説明する。先ず、リレーユニットＡと、配線器具（スイッチなど）Ｂとを取付枠１５に取り付けるが、この際、取付枠１５に形成された位置決め凸部（図示せず）に、リレーユニットＡの連結金具２に形成された係合片４を係合させることによりリレーユニットＡを取付枠１５に取り付けることができる。リレーユニットＡとスイッチＢとを取り付けた取付枠１５は、予め壁面の裏側に固定してある固定枠１７に取付ネジ１８で壁面に固定し、壁面に固定した取付枠１５を覆うカバープレート１９を取り付け、カバープレート１９のリレーユニットＡに対応する開口部１９ａには板状の化粧プレート２０を取り付け、配線器具Ｂに対応する開口部１９ｂには扉付き化粧プレート２１、ブランクチップ２２とを取り付ければ、図６（ａ）に示すように、壁面にリレーユニットＡを、他の配線器具Ｂと同様に設置することができる。
【００２０】
なお、化粧プレート２０には、リレーユニットＡの透光部３に対応する位置に透光部２３が形成されているのでリレーユニットＡの動作を知らせるＬＥＤ５の点灯を確認することができる。
【００２１】
また、扉付き化粧プレート２１は、スイッチＢの誤操作を防ぐためのもので、操作時には、図６（ｂ）に示すように、扉２４を開いてスイッチＢを操作することができるようにしたものである。
【００２２】
上記リレーユニットＡによれば、リレーユニットＡを他の配線器具Ｂと同様に取付枠１５に取り付け、差込孔１０に電線の先端を差し込むだけで結線することができるので、様々な構成の結線に容易に対応させることができ、リレー単体を配線の構成にあわせて形成した基板に取り付ける必要がなく、他の配線器具同士を取付枠に組みつけるのと同様にリレーユニットＡと他の配線器具と組み合わせて使用することができる。また、リレーをユニット化することにより生産効率の向上を図ることができる。
【００２３】
次に、上述したリレーユニットＡを用いて常時小風量換気システムの一例を構築した場合について、図７〜図９の結線図に基づいて説明する。
【００２４】
この換気システムは、住宅の高気密化や空調の完備で窓を開放する機会の減少などによる換気不足を改善するために、各設備に個別に換気扇を設けず、一箇所に換気装置を設置しこの換気装置と部屋や設備との間にダクトを配設し、一箇所で集中して換気を行なうようにしたものであり、通常は換気扇３０を弱運転して小風量で換気を行ない、設備の使用時には換気扇３０を強運転して強風量で換気を行なうようにしたもので、この換気システムが洗面所及びトイレの２箇所の換気を１つの換気扇で行なう場合について説明する。
【００２５】
換気扇３０は２速ノッチ付き換気扇で構成され、弱端子３１と共通端子３３間に電圧が印加された場合は弱運転で作動し、強端子３２と共通端子３３間に電圧が印加された場合は強運転で作動するようになっているものである。
【００２６】
この換気扇３０を制御する常時換気主電源操作プレート３５（図１０（ａ）参照）はリレーユニットＡと、通電時にパイロットランプ３６を点灯して通電状態を表示する通電表示スイッチ３７とを備えたもので、スイッチ３８をＯＮすると、図７の矢印ａに示すように、電源側電線４０からスイッチ３８、パイロットランプ３６を経由して接地側電線４１につながる回路が形成されてパイロットランプ３６が点灯するとともに、矢印ｂに示すように電源側電線４０からスイッチ３８、リレーユニットＡの共通端子８ａからリレー６のブレーク接点１４、ブレーク接点出力端子８ｃ、換気扇３０の弱端子３１、共通端子３３を経由して接地側電線４１につながる回路が形成され、換気扇３０を弱運転させることができるようになっている。
【００２７】
この状態では通電表示スイッチ３７のパイロットランプ３６が点灯し、強運転を表示するリレーユニットＡのＬＥＤ５は点灯しないので換気扇３０が弱運転であることがわかるようになっている。
【００２８】
一方、換気扇で換気を行なう洗面所及びトイレには換気扇操作プレート５０、６０が配置されている。
【００２９】
換気扇操作プレート５０、６０に配置された操作スイッチ５６、６６はそれぞれ第１、第２及び第３の外部接続端子５１、６１、５２、６２及び５３、６３を備え、第１の外部接続端子５１、６１と第２の外部接続端子５２、６２との間にはそれぞれ電流検知手段である通電表示回路５４、６４と、通電表示回路５４、６４にそれぞれ接続された通電表示手段であるＬＥＤ５５、６５とを備えるとともに、第２の外部接続端子５２、６２と第３の外部接続端子５３、６３との間に介された通電制御手段であるスイッチ５９、６９を備えている。なお、上記スイッチ６９はＯＦＦ操作した後所定時間経過して換気扇が停止するように消し遅れ機構を備えたもので構成されていればよい。
【００３０】
また、図７において、符号５７、６７はそれぞれ洗面所、トイレの照明を示し、符号５８、６８は照明５７、６７をそれぞれＯＮ／ＯＦＦするスイッチを示す。
【００３１】
洗面所を使用する際は、図８に示すように、換気扇操作プレート５０（図１０（ｂ）参照）の操作スイッチ５６のスイッチ５９をＯＮすると、矢印ｃに示すように、電源側電線４０から通電表示スイッチ３７のスイッチ３８、リレーユニットＡの共通端子８ａからＬＥＤ５、リレー６のコイル１２を経由して、洗面所の換気扇操作プレート５０の操作スイッチ５６の通電表示回路５４、スイッチ５９を経由し、トイレの換気扇操作プレート６０の操作スイッチ６６の通電表示回路６４を経由して接地側電線４１につながる回路が形成され、リレー６が作動してブレーク接点１４が開き、メイク接点１３が閉じるので、共通端子８ａとブレーク接点出力端子８ｃとの間は非導通になり、共通端子８ａとメイク接点出力端子８ｄとの間が導通するので、換気扇の強端子３２に電流が流れ、換気扇３０は強運転して強風量で換気を行なう。
【００３２】
この時、洗面所の通電表示回路５４とトイレの通電表示回路６４とに電流が流れるので両方のＬＥＤ５５、６５が点灯し、現在換気扇３０が強運転していることが何れの場所からも判るようになっている。
【００３３】
洗面所を退出する際に換気扇操作プレート５０の操作スイッチ５６のスイッチ５９を切ると、リレー６のコイル１２に流れていた電流は遮断されるので、メイク接点１３は開き、ブレーク接点１４が閉じるので、換気扇３０は再び弱運転に切り替わり、両換気扇操作プレート５０、６０の操作スイッチ５６、６６のＬＥＤ５５、６５と、リレーユニットＡのＬＥＤ５は消灯し、何れの場所からも換気扇３０が弱運転に切り替わったことが判るようになっている。
【００３４】
一方、トイレを使用する際は、図９に示すように、換気扇操作プレート６０（図１０（ｃ）参照）の操作スイッチ６６のスイッチ６９をＯＮすると、矢印ｃ１に示すように、電源側電線４０から通電表示スイッチ３７のスイッチ３８、リレーユニットＡの共通端子８ａからＬＥＤ５、リレー６のコイル１２を経由して、洗面所の換気扇操作プレート５０の通電表示回路５４を経由し、トイレの換気扇操作プレート６０の操作スイッチ６６のスイッチ６９、通電表示回路６４を経由して接地側電線４１につながる回路が形成されるので、リレー６が作動してブレーク接点１４が開き、メイク接点１３が閉じるので、共通端子８ａとブレーク接点出力端子８ｃとの間は非導通になり、共通端子８ａとメイク接点出力端子８ｄとの間は導通するので、換気扇３０の強端子２３に電流が流れ、換気扇３０は強運転して強風量で換気を行なう。この時、トイレの通電表示回路６４と洗面所の通電表示回路５４との何れにも電流が流れるので両方のＬＥＤ６５、５５が点灯し、現在換気扇３０が強運転していることが何れの場所からも判るようになっている。
【００３５】
トイレを退出する際に換気扇制御プレート６０の操作スイッチ６６のスイッチ６９をＯＦＦ操作すると消し遅れ機構に設定された所定時間経過後にスイッチ６９が開き、リレー６のコイル１２に流れていた電流は遮断されるので、メイク接点１３は開き、ブレーク接点１４が閉じるので、換気扇３０は再び弱運転に切り替わり、両換気扇制御プレート５０、６０の操作スイッチ５６、６６のＬＥＤ５５、６５と、リレーユニットＡのＬＥＤ５は消灯し、何れの場所からも換気扇３０が弱運転に切り替わったことが判るようになっている。
【００３６】
上述したように、リレーユニットＡを常時換気主電源操作プレート３５に組み込み、リレーユニットＡの出力端子を換気扇の強弱端子に接続することにより、常時換気主電源操作プレート３５と、換気扇３０との間には配線以外のものは存在しないので、換気扇３０の動作が正常ではなくなった場合、故障箇所が換気扇３０か常時換気主電源操作プレート３５かの切り分けが容易にできるので、メンテナンス時の対応が簡素化される。
【００３７】
なお、常時換気主電源操作プレート３５のスイッチ３８は、常時ＯＮされているが、メンテナンス時や長期不在時にはＯＦＦにすることにより換気扇３０の動作を停止させることができる。
【００３８】
図１１は、リレーユニットＡを用いて構築した換気システムの他の例を示し、この換気システムは多箇所で換気扇を制御することができるようにしたもので、上述の洗面所、トイレに加え浴室の換気を行なうことができるようにしたものである。
【００３９】
浴室の換気扇操作プレート７０の操作スイッチ７６は、洗面所の換気扇操作プレート５０の操作スイッチ５６と同様に、第１、第２及び第３の外部接続端子７１、７２及び７３を備え、第１の外部接続端子７１と第２の外部接続端子７２との間にはそれぞれ電流検知手段である通電表示回路７４と、通電表示回路７４に接続された通電表示手段であるＬＥＤ７５と、第２の外部接続端子７２と第３の外部接続端子７３との間に介された通電制御手段であるスイッチ７９を備えている。
【００４０】
そして、換気扇操作プレート５０、６０、７０の操作スイッチ５６、６６、７６は、第２の外部接続端子５２、６２、７２同士、第３の外部接続端子５３、６３、７３同士が互いに結線されるとともに、第１の外部接続端子５１、６１、７１は接地側電線４１に、第２の外部接続端子５２、６２、７２は設備配線用リレーユニットＡの制御入力端子８ｂに接続され、設備配線用リレーユニットＡのブレーク接点出力端子８ｃ、メイク接点出力端子８ｄは、換気扇３０の弱端子３１、強端子３２にそれぞれ結線されている。
【００４１】
なお、図１１において、符号７７は浴室の照明を示し、符号７８は照明７７をＯＮ／ＯＦＦするスイッチを示す。
【００４２】
上記構成の換気システムにおいて、３７の３８をＯＮした時には３６が点灯するとともに、換気扇３０が弱運転するのは上述の２箇所で換気扇を制御する場合と同様なので説明は省略する。
【００４３】
そして、浴室を使用する際は、図１２に示すように、換気扇操作プレート７０の操作スイッチ７６のスイッチ７９をＯＮすると、矢印ｄに示すように、電源側電線４０から通電表示スイッチ３７のスイッチ３８、リレーユニットＡの共通端子８ａからＬＥＤ５、リレー６のコイル１２を経由して、浴室の換気扇操作プレート７０の操作スイッチ７６のスイッチ７９、通電表示回路７４を経由して接地側電線４１につながる回路が形成され、ＬＥＤ７５が点灯するとともにリレー６が作動してブレーク接点１４が開き、メイク接点１３が閉じるので、矢印ｅに示すように、共通端子８ａとブレーク接点出力端子８ｃとの間は非導通になり、共通端子８ａとメイク接点出力端子８ｄとの間が導通するので、換気扇の強端子３２に電流が流れ、換気扇３０は強運転して強風量で換気を行なう。
【００４４】
そして、換気扇操作プレート５０、６０、７０の操作スイッチ５６、６６、７６は、第３の外部接続端子５３、６３、７３同士が互いに結線されているので、矢印ｆ、ｇに示すように、換気扇操作プレート７０の操作スイッチ７６の第３の外部接続端子７３から換気扇操作プレート５０の操作スイッチ５６の第３の外部接続端子５３、通電表示回路５４を経由して接地側電線４１につながる回路、換気扇操作プレート６０の操作スイッチ６６の第３の外部接続端子６３、通電表示回路６４を経由して接地側電線４１につながる回路が形成されるので、洗面所とトイレとの通電表示回路５４、６４とにも電流が流れ、両方のＬＥＤ５５、６５が点灯し、現在換気扇３０が強運転していることが全ての場所から判るようになっている。
【００４５】
なお、上述の換気システムの結線図において、符号５７、６７、７７はそれぞれ洗面所、トイレ、浴室の照明を示し、符号５８、６８、７８は照明５７、６７、７７をそれぞれＯＮ／ＯＦＦするスイッチを示す。
【図面の簡単な説明】
【００４６】
【図１】本発明に係るリレーユニットの斜視図
【図２】（ａ）〜（ｃ）は上記リレーユニットの正面図、背面図及び縦断面図
【図３】上記リレーユニットの分解斜視図
【図４】上記リレーユニットの回路図
【図５】上記リレーユニットの組付けの一例を説明する斜視図
【図６】（ａ）（ｂ）は上記リレーユニットを組み付けた操作プレートの斜視図
【図７】常時小風量換気システムの換気扇の制御を説明する結線図
【図８】常時小風量換気システムの換気扇の制御を説明する結線図
【図９】常時小風量換気システムの換気扇の制御を説明する結線図
【図１０】（ａ）〜（ｃ）は常時換気主電源操作プレート及び換気扇操作プレートの説明図
【図１１】常時小風量換気システムの別の例を説明する結線図
【図１２】上記別の例の常時小風量換気システムの換気扇の制御を説明する結線図
【符号の説明】
【００４７】
１    筐体
２    連結金具
３    開口部
４    取付手段
５    発光表示体
６    リレー
７    回路基板
８    接続手段
１５    配線器具用取付枠
Ａ    設備配線用リレーユニット（リレーユニット）
【図１】
2006311129.tif 000003
【図２】
2006311129.tif 000004
【図３】
2006311129.tif 000005
【図４】
2006311129.tif 000006
【図５】
2006311129.tif 000007
【図６】
2006311129.tif 000008
【図７】
2006311129.tif 000009
【図８】
2006311129.tif 000010
【図９】
2006311129.tif 000011
【図１０】
2006311129.tif 000012
【図１１】
2006311129.tif 000013
【図１２】
2006311129.tif 000014